(57)【要約】      （修正有）【課題】構成部材が内部から露出することによって使用者の手指の怪我を招来することなく、鞄や財布等のケース、システム手帳等の書類バインダー、衣服のポケットといった非常に多種の物品について適用でき、上蓋の開き加減を細かく調節することができ、嵩張ることなく長期間の使用により鞄等の表皮に膨らみを生じて外観の見栄えを損なう欠点を大きく低減することができるケース等の上蓋の開閉構造を提供する。【解決手段】開口を有する収納部２１と、該収納部の開口を閉塞する上蓋２０とを備え、収納部の構成生地部分から上蓋の内部に亘って芯材２２を備えた上蓋の開閉構造において、芯材２２は、塑性を有する合成樹脂製の形状保持材料からなる上蓋の開閉構造。【選択図】図１
0003114451.tif 000002
【実用新案登録請求の範囲】
【請求項１】
開口を有する収納部と、該収納部の開口を閉塞する上蓋とを備え、収納部の構成生地部分から上蓋の内部に亘って芯材を備えた上蓋の開閉構造において、
芯材は、塑性を有する合成樹脂製の形状保持材料からなることを特徴とする上蓋の開閉構造。
【請求項２】
塑性を有する合成樹脂製の形状保持材料は、ポリオレフィンを一定方向に高倍率延伸して分子配列した形状保持材料としたことを特徴とする請求項１記載の上蓋の開閉構造。
【請求項３】
芯材の片面若しくは両面に糊層を積層したことを特徴とする請求項１又は２記載の上蓋の開閉構造。
【請求項４】
芯材を貫通して縫着糸で上蓋に縫着した構成を備えたことを特徴とする請求項１、２又は３記載の上蓋の開閉構造。
【請求項５】
請求項１乃至４の上蓋の開閉構造を有するケース。
【請求項６】
請求項１乃至４の上蓋の開閉構造を有するポケットを備えた衣服。
【請求項７】
請求項１乃至４の上蓋の開閉構造を有する書類綴。
【考案の詳細な説明】
【技術分野】
【０００１】
本考案は、鞄、財布等のケースやポケット等に設けられる上蓋の開閉構造に関する。
【背景技術】
【０００２】
従来、鞄、財布等のケースや衣服のポケット等に設けられる上蓋は、収納物の飛び出しを防ぐ点で非常に有効な手段である。この上蓋は、収納物の出し入れの際に指等で持上げるのが一般的であるが、収納物の出し入れを阻害することも多い。このため、上蓋の開閉に関して、開放状態を維持して利便性を図る手段がある。
【０００３】
このような手段としては、例えば、鞄本体の一側面に折曲自在な蓋を連続的に形成した鞄において、鞄の内側に断面弧状で弾性を有する金属帯片を凹状面が蓋内側に対向するようにして鞄本体の一側面から該蓋の折曲部に亙る長さに取付けたことを特徴とする鞄（例えば、特許文献１参照。）が公知である。
【０００４】
また、上面が開口した鞄本体の背板上縁に前記開口を開閉自在に閉塞させる蓋を連設した被せ蓋式の鞄において、前記蓋の先端から背板にいたる長さの帯状の板ばねの一端を前記蓋の先端に設けられる止め金具と一体に蓋に固定するとともに該板ばねの下端は自由端としたことを特徴とする鞄（例えば、特許文献２参照。）が公知である。
【０００５】
更に、上面が開口した鞄本体の背面上縁に前記開口を開閉自在に閉塞させる蓋を連設した被せ蓋式の鞄において、前記蓋の先端から背板に至る長さの帯状の板ばねの一端を前記蓋の先端に設けられる止め金具と一体に蓋に固定するとともに該板ばねの下端は自由端とし、前記蓋及び背板の内側面には内張りを設けて板ばねを被覆させるとともに、該内張りに設けたポケットには、前記板ばねを被覆させる強靭な中張りを縫製したことを特徴とする鞄（例えば、特許文献３参照。）が公知である。
【０００６】
【特許文献１】実開昭５７−８５９３５号公報
【特許文献２】登録実用新案第３０４３９２９号公報
【考案の開示】
【考案が解決しようとする課題】
【０００７】
上記特許文献１に係る考案は、金属製の板ばねが弾性を有するために、長期に亘って使用するうちに鞄の表皮に膨らみが生じて外観の見栄えを損なうとともに、板ばねが内部から露出し、機能を損なうとともに、手指を怪我する虞を招来するものであった。
【０００８】
また、板ばねは弾性変形するものであることから、上蓋を一定の開口状態に保つことができる一方、上蓋の開き加減を細かく調節することはできない欠点があった。
【０００９】
更に、板ばねが予めある程度湾曲した状態で設定されている場合には、設定された開き角度よりも大きく上蓋を開口した後に手を離すと、弾性によって蓋が強い勢いで閉塞方向へ動くことから、収納物の取り出し時に上蓋が当該収納物に当たって、収納物を落下させる危険があった
【００１０】
特許文献２に係る考案は、樹脂被覆した帯状の金属製板ばねを内封し、その下端を自由端とすることによって、板ばねが内部から露出することを防止するものである。当該手段によって一応板ばねが内側から露出する事態を避けることはできる。
しかし、当該構成が複雑で嵩張るものであること、板ばねを湾曲させる程度であることから、把手を有する鞄には適するものの、板ばねに薄さが要求され、且つ、板ばねをほぼ屈曲状態とする必要のある衣服のポケット等の対象物に用いると、繰返しの操作によって板ばねに亀裂を生じ、板ばねが分断されることとなり、適用できるものではなかった。
【００１１】
また、上蓋の開き加減を細かく調節することはできない欠点については、何ら解消することができないものであった。
【００１２】
更に、樹脂被覆した帯状の金属製板ばねを内封する構成は前記したように嵩張るものであることから、長期間の使用により鞄の表皮に膨らみが生じて外観の見栄えを損なう欠点も有するものであった。
【００１３】
本考案は以上の事情に鑑みてなされたものであり、構成部材が内部から露出することによって使用者の手指の怪我を招来することなく、鞄や財布等のケース、システム手帳、書類用バインダー等の書類綴、衣服のポケットといった非常に多種の物品について適用でき、上蓋の開き加減を細かく調節することができ、収納物の取り出し時に上蓋が当該収納物に当たって収納物を落下させることがなく、また嵩張ることなく長期間の使用により鞄等の表皮に膨らみを生じて外観の見栄えを損なう欠点を大きく低減することができるケース等の上蓋の開閉構造を提供することを、考案が解決しようとする課題とするものである。
【課題を解決するための手段】
【００１４】
開口を有する収納部と、該収納部の開口を閉塞する上蓋とを備え、収納部の構成生地部分から上蓋の内部に亘って芯材を設けてなる上蓋の開閉構造において、芯材は、塑性を有する合成樹脂製の形状保持材料からなることを特徴とする上蓋の開閉構造、特には、塑性を有する合成樹脂製の形状保持材料が、ポリオレフィンを一定方向に高倍率延伸して分子配列した形状保持材料とした上蓋の開閉構造を、課題を解決するための手段とするものである。ここで、上記した上蓋の内部とは、上蓋を構成する内側生地と外側生地との間を指し、また、収納部の構成生地部分とは、例えば、背面板部分のうち外側生地と内側生地との間となる部分等を指す。
【考案の効果】
【００１５】
本考案によれば、開口を有する収納部と、該収納部の開口を閉塞する上蓋とを備え、収納部の内部と上蓋の内部に亘って挿入される芯材を備えた上蓋の開閉構造において、芯材は、塑性を有する合成樹脂製の形状保持材料からなる構成としたことから、弾性による反発力を発生させることがなく、ケース等の生地を破って外部に露出することがなく、使用者の手指の怪我を招来する虞がない。
【００１６】
また、同構成によって、上蓋の開き加減をその都度好みの開き加減に細かく調節することができ、収納物の取り出し時には上蓋を全く邪魔にならない位置へ移動させることにより、該収納物の取り出しを非常に簡単なものとすることができる。また、開き加減の調節を行う際にも、金属製板ばねのように弾性に抗して行う必要がなく、手指への負担が軽く、簡単に開閉を行うことができる。
【００１７】
更に、塑性を有する合成樹脂製の芯材を用いることによって、手指を傷つけることもないことから、当該芯材を特に被覆する必要はない。また、合成樹脂製の芯材は厚みを非常に薄くすることができることから、嵩張ることなく長期間の使用によりケース等の表皮にふくらみを生じて外観体裁を損なう虞を大幅に低減することができる。
【００１８】
また、繰返しの開閉を行った場合でも、芯材は、塑性を有する合成樹脂製の形状保持材料からなる構成としたことから、金属製芯材のように切断されることがなく、耐久性に優れた上蓋の開閉構造を提供することができる。
【考案を実施するための最良の形態】
【００１９】
本考案は、開口を有する収納部と、該収納部の開口を閉塞する上蓋とを備え、収納部の内部と上蓋の内部に亘って挿入される芯材を備えた上蓋の開閉構造において、芯材は、ポリオレフィンを一定方向（屈曲ラインと直交する方向）に高倍率延伸して分子配列した塑性を有する形状保持材料としたケース等の上蓋の開閉構造とすることにより、構成部材が内部から露出することによって使用者の手指の怪我を招来することなく、鞄や財布等のケース、システム手帳等の書類バインダー、衣服のポケットといった非常に多種の物品について適用でき、上蓋の開き加減を細かく調節することができ、収納物の取り出し時に上蓋が当該収納物に当たって収納物を落下させることがなく、嵩張ることなく長期間の使用により鞄等の表皮に膨らみを生じて外観の見栄えを損なう欠点を大きく低減することができるケース等の上蓋の開閉構造を実現した。
【実施例】
【００２０】
図１は本考案の実施例１に係る上蓋の開閉構造を有する小型の鞄を示す斜視図、図２は図１のＡ−Ａ断面図、図３は本考案の実施例２に係る上蓋の開閉構造を有する小型の鞄を示す斜視図、図４は図３のＢ−Ｂ断面図、図５は本考案の実施例３に係る上蓋の開閉構造を有する書類綴を示す斜視図、図６は本考案の実施例４に係る上蓋の開閉構造を有するポケットを備えた衣服の正面図、図７は実施例４に係るポケットの閉塞状態を示す斜視図、図８は実施例４に係るポケットの開口状態を示す斜視図、図９は本考案の実施例４に係るポケットの開口状態を示す縦断面図である。
【００２１】
（実施例１）
本考案の実施例１に係るケース等の開閉構造は、図１の斜視図及び図２の断面図に示すように、合成皮革を用いた上蓋付きのポーチ１ａ（小物入れ）に適用したものである。
【００２２】
当該ポーチ１ａは、正面板部１０、背面板部１１、前記正面板部１０と背面板部１１との間に形成される襠部１４を備えている。襠部１４は、底襠部１４ａ、左襠部１４ｂ及び右襠部１４ｃを連続して形成したものである。背面板部１１は高さが正面板部１０の二倍余りの寸法とし、該背面板部１１の概ね上半分程度は上蓋２０として機能する。また、背面板部１１の上縁の内側と正面板部１０の上縁の外側には、相互に磁力を利用して着脱する着脱具片４０、４１を設けている。前記正面板部１０の略全面と、背面板部１１の下半分及び上端側となる位置には湾曲を許容しない保型用薄板１２を設けている。正面板部１０と背面板部１１は、保型用薄板１２の内側に内張りとなる内側生地２５を設け、保型用薄板１２の外側面と内側生地２５の縁部とを被覆する外側生地２７を設けることで形成する。背面板部１１のうち上蓋２０の湾曲部分は、湾曲を許容する必要があるため保型用薄板１２を設けていない。
【００２３】
そして、背面板部１１の保型用薄板１２と内側生地２５との間であって、背面板部１１の上縁から下縁に至る左右縁側には、塑性を有する合成樹脂製の形状保持材料からなる帯状の芯材２２を設けている。当該帯状の芯材２２を形成する合成樹脂製の形状保持材料は、ポリオレフィンを主原料として長手方向に高倍率延伸して分子配列してなる厚さ約０．６ミリメートル程度のものである。このような形状保持材料としては、例えば、積水化学工業株式会社製のフォルテ（登録商標）を使用することができる。
【００２４】
帯状の芯材２２は、背面板部１１の保型用薄板１２に対する接着手段となる第一接着層２３ａと、内側生地２５に対する接着手段となる第二接着層２３ｂとを具備しており、前記保型用薄板１２と内側生地２５に対して固着する構成としている。
【００２５】
尚、本実施例１では、予め、芯材２２の表面側に第一接着層２３ａが当接し、芯材２２の裏面側に第二接着層２３ｂが当接しており、第一接着層２３ａ、第二接着層２３ｂのいずれとも、芯材２２への当接面と反対側の面に、夫々図示されない剥離紙層を備えており、当該剥離紙層を剥離した状態で開閉構造を形成する。
【００２６】
上記構成によって、使用者が上蓋２０を持ち上げると、上蓋２０の左右端に設けられた帯状の芯材２２の塑性が発揮され、持ち上げた状態が略保持されることとなる。このため、使用者は使用状況や体型等といった種々の条件に応じて、開口状態を容易に設定することができる。また、帯状の芯材２２が塑性を発揮することによって、上蓋が使用者の意に反して弾性による復元を生じることがない。従って、例えば、従来のように、収納物５０を取り出す際に弾性反発によって上蓋が急激に閉じて収納物に当たって当該収納物を落下させる等といった、不具合を生じることがない。
【００２７】
また、帯状の芯材２２が塑性を発揮することによって、該芯材２２が生地を突き破る方向へ大きく付勢されないことから、芯材２２が内部から生地を突き破って露出することはない。更に、芯材２２を特に被覆する必要もないこと、及び、芯材２２自体が非常に薄いものであることの相乗効果から、嵩張ることがなく、芯材２２が内部から露出することによって使用者の手指の怪我を招来することなく、長期間の使用により鞄等の表皮に膨らみを生じて外観の見栄えを損なうという事態を大きく低減することができる。
【００２８】
（実施例２）
次に、本考案の実施例２に係るケース等の開閉構造は、実施例１と同様に合成皮革を用いた上蓋付きのポーチに適用したものである。開閉構造を除き、当該ポーチ１ｂの構成は、実施例１と同様である。
【００２９】
本実施例２における開閉構造は、図３の斜視図及び図４の断面図に示すように、背面板部１１の保型用薄板１２と内側生地２５との間となる略全面に矩形シート状の塑性の芯材２２を設けたものである。形状保持材料は、実施例１と同様に、ポリオレフィンを主原料として長手方向に高倍率延伸して分子配列してなる厚さ約０．６ミリメートル程度のものを使用している。
【００３０】
本実施例２においても、実施例１と同様に、使用者が上蓋２０を持ち上げると、芯材２２の塑性が発揮され、持ち上げた状態が略保持されることとなる。このため、使用者は使用状況や体型等といった種々の条件に応じて、開口状態を容易に設定することができる。また、帯状の芯材２２が塑性を発揮することによって、上蓋が使用者の意に反して弾性による復元を生じることがない。従って、例えば、収納物を取り出す際に弾性反発によって蓋が急激に閉じて収納物５０に当たり、当該収納物を落下させる等の不具合を生じることがない。
【００３１】
また、本実施例２においては、芯材２２には接着手段を用いず、外側生地２７から芯材２２を含めて内側生地２５まで全て縫合用糸２４によって貫通し、縫着した構成である。実施例１と同様に、尚、芯材２２を特に被覆する必要もないこと、及び、芯材２２自体が非常に薄いものであることから、嵩張ることがなく、構成部材が内部から露出することによって使用者の手指の怪我を招来することなく、長期間の使用により鞄等の表皮に膨らみを生じて外観の見栄えを損なうという事態を大きく低減することができるが、芯材２２の輪郭が背面板部１１全体に及ぶことによって縫着部分が背面板部１１の輪郭に沿うことから、仮に長期間の使用により鞄等の表皮に膨らみを僅かに生じて外観の見栄えが劣ることとなった場合であっても、非常に目立たないものとすることができる。
【００３２】
本考案における開閉構造は、上記実施例１及び実施例２に限定させるものではなく、実施例１のように接着層を用いる場合には、接着層は芯材２２の片面にのみ形成し、保型用薄板１２、内側生地２５のいずれか一方のみに接着することができる。また、保型用薄板１２と外側生地２７との間に芯材２２を設けることもできる。また、接着層は、実施例のように予め積層されたものであることを要せず、芯材２２上に接着剤を塗布することによって形成することもできる。
【００３３】
また、ケース等の種類によっては、保型用薄板１２は必ずしも必要でないから、保型用薄板１２を備えないケース等に使用する場合には、本考案の開閉構造においても、保型用薄板１２を必要としない。
【００３４】
（実施例３）
更に、本考案においては、本考案の実施例３として、図５に示す書類綴（システム手帳）１ｃに用いた開閉構造のように、収納部２１は必ずしも上蓋２０と別個である必要はなく、上蓋２０と下蓋２６とが閉塞状態で収納部２１を形成するものも含む趣旨である。
【００３５】
尚、図５に示す書類綴１ｃについて説明すると、上蓋２０と下蓋２６の双方に形成された襠片２９、２９に夫々スライドファスナー３０の務歯条列３２を形成したものであり、スライダー３１のスライドによって前記双方の襠片２９、２９が係合若しくは脱着し、当該係合及び脱着によって、開口部２の閉塞及び開放を行う。
【００３６】
塑性を有する芯材２２を具備する構成によって、従来の書類綴のようにスライダーの開放に伴って急激に上蓋が持ち上がるということがなく、また、開口部を大きく開口できないという欠点も解消することができる。
【００３７】
尚、書類綴１ｃは必ずしもスライドファスナー３０を備える必要はなく、当該スライドファスナー３０に代えて種々の閉塞保持手段（例えば、帯体、スナップボタンや雌雄面ファスナーを備える公知の閉塞保持手段等）を備えた書類綴１ｃに対して、本考案の開閉構造を適用することができる。
従って、書類綴はシステム手帳に限らず、複数の書類をまとめて綴じるための書類用バインダーであってもよい。
【００３８】
また、芯材２２は、弾性による反発を殆ど有さず、塑性を有する合成樹脂製の形状保持材料からなる構成であることから、全幅に亘って芯材２２を設けているにもかかわらず、上蓋２０の開閉を軽い操作で行うことができる。
【００３９】
（実施例４）
次に、図６乃至図９に示すように、本考案に係る上蓋２０の開閉構造は、ポケット１ｅを有する衣服１ｄについても適用することができる。当該衣服１ｄのポケット１ｅの構造について説明する。
【００４０】
実施例に係る衣服のポケット１ｅの構造は、塑性を有する芯材２２と、衣服の外生地３５と、ポケット形成生地３３と、芯材被覆生地３４とを有している。前記芯材２２は、上蓋２０を形成する部分を除いた背面側が衣服の外生地３５に当接している。また、芯材２２の正面側及び上蓋２０を形成する背面側部分を芯材被覆生地３４が被覆している。芯材被覆生地３４がポケット１ｅの内面となるように、ポケット形成生地３３の底部及び左右側部を衣服の外生地３５に縫合している。上蓋２０にはボタン穴３６を形成してあり、ポケット形成生地３３の上縁部中央にはボタン３７を取着してある。芯材２２は前記ボタン穴３６の形成部分には干渉しない形状としている。
【００４１】
当該開閉構造によれば、係着されたボタン３７を外した場合であっても、塑性を有する芯材２２によって、上蓋２０が跳ね上がることがなく、また持ち上げた上蓋２０が意に反して閉塞方向へ垂れ下がることもないことから、収納物５０の出し入れが非常に快適に行えることとなる。
【００４２】
また、本実施例においても、上述の各実施例と同様に耐久性を向上でき、収納物５０の取り出し時に上蓋２０が当該収納物５０に当たって該収納物５０を落下させることを防止することができる。
【００４３】
尚、上記各実施例では芯材２２は厚さ０．６ミリメートルの薄板状の形状保持材料を用いたが、本考案はこれに限定するものではない。例えば厚さ０．２ミリメートル程度の形状保持材料を用いた芯材２２とすることもできる。厚さ０．２ミリメートル程度とすればより一層嵩張ることがなく、長期間の使用により鞄等の表皮に膨らみを生じて外観の見栄えを損なう欠点を大きく低減することができる。
【００４４】
また一方、例えば厚さ１．０ミリメートル程度の形状保持材を用いた芯材２２とすることもできる。厚さ１．０ミリメートル程度の形状保持材とすれば上蓋２０の重量を保持するのに十分な形状保持力を得ることで、形状保持材としての機能をより一層確実なものとすることができる。
【００４５】
更に、上記芯材２２は、形状保持材料からなる線材を用いることもできる。このような線材としては、例えば、三井化学株式会社製のテクノロート（登録商標）等を使用することができる。尚、上記線材としてテクノロートをケース等に用いることによって、廃棄時にはテクノロートが焼却処分することができることから、従来の金属製芯材と異なり、ケース等と分別して廃棄する必要が無く、利便性に優れる。
【００４６】
以上のように、本考案における開閉構造は、上記実施例に限らず、非常に多種の上蓋を有する開閉構造に適用することができ、使用者の手指の怪我を招来することなく、上蓋の開き加減を細かく調節することができ、収納物の取り出し時に上蓋が当該収納物に当たって収納物を落下させることがなく、嵩張ることなく長期間の使用により鞄等の表皮に膨らみを生じて外観の見栄えを損なう欠点を大きく低減することができる点において、非常に優れたものであり、その効果は極めて高いものである。
【００４７】
更に、本考案における開閉構造は、塑性を有する合成樹脂製の形状保持材料を用いることによって、ポケットを有する衣服等に使用することで、検針機で芯材を検知することがなく、円滑且つ正確な検針作業を行うことができる。
【図面の簡単な説明】
【００４８】
【図１】本考案の実施例１に係る上蓋の開閉構造を有する小型の鞄を示す斜視図である。
【図２】本考案の実施例１に係る上蓋の開閉構造を有する小型の鞄のＡ−Ａ断面図である。
【図３】本考案の実施例２に係る上蓋の開閉構造を有する小型の鞄を示す斜視図である。
【図４】本考案の実施例２に係る上蓋の開閉構造を有する小型の鞄のＢ−Ｂ断面図である。
【図５】本考案の実施例３に係る蓋の開閉構造を有する書類綴を示す斜視図である。
【図６】本考案の実施例４に係る蓋の開閉構造を有するポケットを備えた衣服を示す正面図である。
【図７】本考案の実施例４に係る衣服のポケットの閉塞状態を示す斜視図である。
【図８】本考案の実施例４に係る衣服のポケットの開放状態を示す斜視図である。
【図９】本考案の実施例４に係る蓋の開閉構造を有するポケットの断面図である。
【符号の説明】
【００４９】
１ａ        ポーチ（実施例１）
１ｂ        ポーチ（実施例２）
１ｃ        書類綴
１ｄ        衣服
１ｅ        ポケット
１０        正面板部
１１        背面板部
１２        保型用薄板
１４        襠部
１４ａ      底襠部
１４ｂ      左襠部
１４ｃ      右襠部
２          開口部
２０        上蓋
２１        収納部
２２        芯材
２３ａ      第一接着層
２３ｂ      第二接着層
２４        縫合用糸
２５        内側生地
２６        下蓋
２７        外側生地
２９        襠片
３０        スライドファスナー
３１        スライダー
３２        務歯条列
３３        ポケット形成生地
３４        芯材被覆生地
３５        衣服の外生地
３６        ボタン穴
３７        ボタン
４０        着脱具片
４１        着脱具片
５０        収納物
【図１】
0003114451.tif 000003
【図２】
0003114451.tif 000004
【図３】
0003114451.tif 000005
【図４】
0003114451.tif 000006
【図５】
0003114451.tif 000007
【図６】
0003114451.tif 000008
【図７】
0003114451.tif 000009
【図８】
0003114451.tif 000010
【図９】
0003114451.tif 000011